(57)【特許請求の範囲】
【請求項１】
周壁１上端部から肩部を介して口頸部２を起立した容器体Ａと、
筒壁３上端部を容器体口頸部２上方へ突出させて容器体Ａ内へ垂下すると共に、筒壁３後部の上下方向中間筒壁部分に流入孔４を穿設し、かつ筒壁３上部外面から突出する外向きフランジ５外周部から垂下する支持筒６を容器体口頸部２外面へ嵌合させた主筒Ｂと、
上面閉塞の筒壁７上端部を主筒Ｂ上方へ突出させて主筒Ｂ上部内面へ回動自在に、かつ抜け落ち不能に嵌合させ、筒壁７後部で上記主筒流入孔４を密閉すると共に、筒壁７前部を主筒流入孔４よりも上方へ位置させ、また筒壁７内に垂設した仕切壁１１で筒壁７内を、下部を残して前後に仕切って該仕切壁１１と筒壁７前部との間に流入室１２を、仕切壁１１と筒壁７後部との間に流出室１３を、また主筒Ｂ底部に流出室１３と流入室１２との共通の溜室１４を、それぞれ形成し、さらに流出室１３上面を閉塞する頂壁部分に流出孔１５を穿設した補助筒Ｃと、
周壁１６を主筒Ｂ上端部と補助筒Ｃ上端部とのそれぞれの外面へ着脱自在に嵌合させたキャップ体Ｄと、
キャップ体周壁１６上面を閉塞自在な開閉蓋Ｅとを有する、
ことを特徴とする計量容器。
【請求項２】
周壁１上端部から肩部を介して口頸部２を起立した容器体Ａと、
筒壁３上端部を容器体口頸部２上方へ突出させて容器体Ａ内へ垂下すると共に、筒壁３後部の上下方向中間筒壁部分に流入孔４を穿設し、かつ筒壁３上部外面から突出する外向きフランジ５外周部から垂下する支持筒６を容器体口頸部２外面へ嵌合させた主筒Ｂと、
筒壁７上端部を主筒Ｂ上方へ突出させて主筒Ｂ上部内面へ回動自在に、かつ抜け落ち不能に嵌合させ、筒壁７後部で上記主筒流入孔４を密閉すると共に、筒壁７前部を主筒流入孔４よりも上方へ位置させ、また筒壁７内に垂設した仕切壁１１で筒壁７内を、下部を残して前後に仕切って該仕切壁と筒壁７前部との間に流入室１２を、仕切壁１１と筒壁７後部との間に流出室１３を、また主筒Ｂ底部に流出室１３と流入室１２との共通の溜室１４を、それぞれ形成した補助筒Ｃと、上面を頂壁１９で閉塞した周壁１６を主筒Ｂ上端部外面へ嵌合させると共に、周壁１６上端部を補助筒Ｃ外面へ回動不能に嵌合させ、かつ流出室１３上面を閉塞する頂壁部分に流出孔１５を穿設したキャップ体Ｄと、
キャップ体頂壁１９の流出孔１５を閉塞自在な開閉蓋Ｅとを有する、
ことを特徴とする計量容器。
【発明の詳細な説明】
【０００１】
【発明の属する技術分野】
本発明は容器体内の内容物を容器体外へ排出させるに際し、計量排出が可能な計量排出手段を容器体口頸部に設けた計量容器に関する。
【０００２】
【従来の技術】
例えば、実開平３−４３４８２号が示すように、口頸部を起立する容器体と、口頸部の上端部内面に上端筒部を嵌着させて第１筒部を容器体内へ垂下し、第１筒部下端に内向きの係合フランジを付設すると共に、その第１筒部に流入孔を穿設した大径の主筒と、係合フランジの上面に、第２筒部上端の第２外向きフランジを係合させて主筒から垂設させた小径の補助筒と、第１筒部の上端部へ、流出筒上部に付設した第３外向きフランジの外周部を固定させて、流出筒を第１筒部内へ垂下する排出部材とからなり、容器体を倒立させたとき、補助筒が自重により落下して第２外向きフランジ上面が流出筒下端面へ当接可能に形成した定量振出し容器が知られている。
【０００３】
【発明が解決しようとする課題】
上記従来の定量振出し容器は、主筒に穿設した流入孔を閉塞する手段を有せず、流入孔は常時開口されているため、輸送流通段階で、容器が横倒しや倒立状態になった場合、容器体内の内容物が流入孔から流入して第２筒部に入るおそれがある。この状態で計量を行うと、計量前に第２筒部に入った内容物の分量が加算されてしまうため、最初の計量においては正確な排出量が得られないこととなる。
【０００４】
請求項１記載の計量容器は、主筒内へ回動自在に嵌合させた補助筒筒壁前部を流入孔よりも上方へ位置させると共に、筒壁後部で流入孔を密閉させることにより、輸送流通時に流入孔を密閉して容器体内容物の主筒及び補助筒内への流入防止を図り、これによって最初の計量の正確性を期そうとするものである。
【０００５】
請求項２記載の計量容器は、請求項１記載の計量容器が有する解決課題を有するほか、キャップ体を補助筒外面へ回動不能に嵌合させ、キャップ体を回すことで補助筒を回動可能とすることにより、補助筒の回動操作を容易にしようとするものである。
【０００６】
【課題を解決するための手段】
第１の手段として、周壁１上端部から肩部を介して口頸部２を起立した容器体Ａと、
筒壁３上端部を容器体口頸部２上方へ突出させて容器体Ａ内へ垂下すると共に、筒壁３後部の上下方向中間筒壁部分に流入孔４を穿設し、かつ筒壁３上部外面から突出する外向きフランジ５外周部から垂下する支持筒６を容器体口頸部２外面へ嵌合させた主筒Ｂと、
上面閉塞の筒壁７上端部を主筒Ｂ上方へ突出させて主筒Ｂ上部内面へ回動自在に、かつ抜け落ち不能に嵌合させ、筒壁７後部で上記主筒流入孔４を密閉すると共に、筒壁７前部を主筒流入孔４よりも上方へ位置させ、また筒壁７内に垂設した仕切壁１１で筒壁７内を、下部を残して前後に仕切って該仕切壁１１と筒壁７前部との間に流入室１２を、仕切壁１１と筒壁７後部との間に流出室１３を、また主筒Ｂ底部に流出室１３と流入室１２との共通の溜室１４を、それぞれ形成し、さらに流出室１３上面を閉塞する頂壁部分に流出孔１５を穿設した補助筒Ｃと、
周壁１６を主筒Ｂ上端部と補助筒Ｃ上端部とのそれぞれの外面へ着脱自在に嵌合させたキャップ体Ｄと、
キャップ体周壁１６上面を閉塞自在な開閉蓋Ｅとを有する。
【０００７】
第２の手段として、周壁１上端部から肩部を介して口頸部２を起立した容器体Ａと、
筒壁３上端部を容器体口頸部２上方へ突出させて容器体Ａ内へ垂下すると共に、筒壁３後部の上下方向中間筒壁部分に流入孔４を穿設し、かつ筒壁３上部外面から突出する外向きフランジ５外周部から垂下する支持筒６を容器体口頸部２外面へ嵌合させた主筒Ｂと、
筒壁７上端部を主筒Ｂ上方へ突出させて主筒Ｂ上部内面へ回動自在に、かつ抜け落ち不能に嵌合させ、筒壁７後部で上記主筒流入孔４を密閉すると共に、筒壁７前部を主筒流入孔４よりも上方へ位置させ、また筒壁７内に垂設した仕切壁１１で筒壁７内を、下部を残して前後に仕切って該仕切壁と筒壁７前部との間に流入室１２を、仕切壁１１と筒壁７後部との間に流出室１３を、また主筒Ｂ底部に流出室１３と流入室１２との共通の溜室１４を、それぞれ形成した補助筒Ｃと、上面を頂壁１９で閉塞した周壁１６を主筒Ｂ上端部外面へ嵌合させると共に、周壁１６上端部を補助筒Ｃ外面へ回動不能に嵌合させ、かつ流出室１３上面を閉塞する頂壁部分に流出孔１５を穿設したキャップ体Ｄと、
キャップ体頂壁１９の流出孔１５を閉塞自在な開閉蓋Ｅとを有する。
【０００８】
【発明の実施の形態】
本発明に係る計量容器は、容器体、主筒、補助筒、キャップ体及び開閉蓋を主要部材とする。以下、これらについて順次説明する。
Ａは容器体で、周壁１上端部から肩部を介して口頸部２を起立し、該口頸部外面に雄ねじを形成する。
【０００９】
Ｂは主筒で、下端面閉塞の筒壁３上端部を容器体口頸部２上方へ突出させて容器体Ａ内へ垂下し、筒壁３の上下方向中間筒壁部分に第１テーパ状壁を形成して該第１テーパ状壁よりも下方筒壁部分を小内径テーパ筒壁部に形成すると共に、第１テーパ状壁よりも下方筒壁部分後部に流入孔４を第１テーパ状壁に連設して穿設する。また、主筒筒壁上端部外面から、容器体口頸部２内径よりも大径の外向きフランジ５を突設すると共に、該外向きフランジ外周部から支持筒６を垂下し、該支持筒内面に形成した雌ねじを口頸部２雄ねじに螺合させている。さらに筒壁３上端外面に係合突条を突設する。
【００１０】
Ｃは補助筒で、上面閉塞の筒壁７上端部を主筒Ｂ上方へ突出させて主筒上部内面へ回動自在に嵌合させている。補助筒Ｃは筒壁７上端部外面に突条８を周設し、該突条８を主筒Ｂ上端面へ係合させることにより抜け落ち不能になっている。筒壁７下端部の後部に第２テーパ状壁を形成して該第２テーパ状壁よりも下方筒壁部分を小内径テーパ筒壁部９に形成すると共に、第２テーパ状壁下面を主筒Ｂの第１テーパ状壁上面へ係合させている。そして図１に示すように小内径テーパ筒壁部９により流入孔４を密閉させている。一方、筒壁７前部は流入孔４よりも上方に位置させている。
【００１１】
補助筒筒壁７上面を閉塞する頂壁１０下面中央部から仕切壁１１を垂下する。該仕切壁は補助筒筒壁７後部下方へ突出すると共に、主筒Ｂの下端部に達しない長さになっている。仕切壁１１は横断面Ｃ字形状で、その上下方向両側端部を筒壁７後部内面へ接続させることにより筒壁７内を前後に仕切って、筒壁７前部と仕切壁１１との間に流入室１２を、また筒壁７後部と仕切壁１１との間に流出室１３を、それぞれ形成すると共に、主筒Ｂ下端部に流入室１２と流出室１３との共通の溜室１４を形成する。
一方、流出室１３上面を閉塞する頂壁１０部分に流出孔１５を穿設すると共に、流入室１２上面を閉塞する頂壁１０部分を凹設して凹部に形成する。
【００１２】
Ｄはキャップ体で、周壁１６下端面を主筒Ｂの外向きフランジ５上面へ載置させると共に、上下方向中間周壁１６部分内面に突設した突条を主筒Ｂ上端外面に突設した係合突条へ着脱自在に係合させ、さらに周壁１６上端内面から突出する嵌合突条を補助筒Ｃ上端部外面へ嵌合させている。
【００１３】
Ｅは開閉蓋で、キャップ体周壁１６上面を閉塞自在な頂壁１７外周部から筒壁を垂下し、肉薄ヒンジを介して該筒壁下端後部をキャップ体周壁１６上端後部へ接続させ、さらに頂壁１７前部下面から排出筒１８を垂下し、該排出筒を補助筒頂壁１０凹部へ嵌合させている。
【００１４】
次に本実施形態の作用について説明する。
図１に示す輸送流通時において、補助筒Ｃは流入孔４を密閉しているため、容器体が横倒しになったり、或いは倒立するようなことがあっても容器体内容物が流入孔４から主筒Ｂ内や補助筒Ｃ内へ流入することは防止される。
【００１５】
使用に際し、キャップ体Ｄを主筒Ｂと補助筒Ｃとのそれぞれから抜き出し、補助筒Ｃ上端部を図１の状態から約１８０度回すと、図２に示すように補助筒Ｃ筒壁後部が主筒Ｂ前部に、また補助筒Ｃ筒壁前部が主筒後部に、それぞれ位置し、かつ上記の如く補助筒Ｃ筒壁前部は流入孔４よりも上方に位置することから、流入孔４は開口状態となる。一方、これと共に流出孔１５も主筒Ｂ前部に位置することとなる。こうして流入孔４を開口させた後、再度キャップ体Ｄを主筒Ｂと補助筒Ｃとのそれぞれに嵌合させる。
【００１６】
容器体内容物を計量するには、開閉蓋Ｅを上方へ持ち上げて流出孔１５を開口した後、容器体Ａを倒立させればよく、すると容器体内容物が流入孔４から補助筒Ｃ内へ流入し、内容物が流入孔４の上縁（容器体倒立状態）付近に達したところで内容物の流入は停止する。次いで、容器体Ａを正立させると、補助筒Ｃ内の計量済内容物は流下して溜室１４内へ貯留する。
【００１７】
内容物を排出するには、容器体Ａの正立状態から容器体Ａを前方へ傾けつつ再度倒立させればよく、すると溜室１４内の内容物が流出室１３を通って流出孔１５から流出する。一方、この内容物の排出時、容器体Ａは倒立しているから、容器体内容物が流入孔４から補助筒Ｃ内へ流入し、次回排出分の計量が行われるが、補助筒Ｃ内は仕切壁１１によって仕切られているため、次回排出分が排出中の計量済内容物に混入することはなく、従って連続計量排出が可能となる。
【００１８】
図３及び図４は請求項２記載の計量容器の一実施形態を示すもので、本実施形態ではキャップ体Ｄを補助筒Ｃ外面へ回動不能に嵌合させた点において請求項１記載の計量容器と異なっている。
すなわち、本実施形態では、キャップ体周壁１６上面を頂壁１９で閉塞すると共に、流出室１３上面の頂壁部分に流出孔１５を穿設し、また開閉蓋頂壁１７の後部下面から排出筒１８を垂下する。さらに、補助筒Ｃ上端部外面にリブ２０を縦設すると共に、キャップ体Ｄ上端部内面に係合溝を縦設し、リブ２０を該係合溝に係合させている。
【００１９】
本実施形態において、補助筒Ｃを回すためには、キャップ体Ｄを主筒Ｂと補助筒Ｃとから外すことなく、図３に示すようにこれらに嵌合させた状態でキャップ体Ｄを回せばよく、するとキャップ体Ｄは補助筒Ｃに対して回動不能であるから、補助筒Ｃはキャップ体Ｄと共に回動し、図４に示すように流入孔４が開口する。
【００２０】
【発明の効果】
請求項１記載の計量容器では、補助筒筒壁後部で主筒流入孔を密閉する共に、補助筒筒壁前部を主筒流入孔よりも上方へ位置させたので、計量排出時には補助筒を回すことで流入孔を開口させることができると共に、輸送流通時には流入孔を密閉可能であり、従って輸送流通時に容器体が横倒し状態や倒立状態となっても、容器体内容物が流入孔から流入することがなく、このため最初の計量が不正確になることがない。
【００２１】
また、補助筒内を仕切壁で仕切って流入室と流出室とを形成したので、容器体を倒立させての計量済内容物の排出中に、主筒流入孔から流入する容器体内容物が計量済内容物に混入することがなく、従って排出と計量とが同時に行え、連続的な計量排出が可能となる。
【００２２】
請求項２記載の計量容器では、キャップ体を補助筒外面へ回動不能に嵌合させたので、補助筒を流入孔密閉位置から開口位置へ回動させる際、キャップ体を外すことなく、キャップ体を回すことで補助筒を回動させることが可能であり、従って補助筒回動操作が容易になる。
【図面の簡単な説明】
【図１】請求項１記載の発明に係る計量容器の流入孔密閉状態を示す縦断面図である。
【図２】同じく、流入孔開口状態を示す縦断面図である。
【図３】請求項２記載の発明に係る計量容器の流入孔密閉状態を示す縦断面図である。
【図４】同じく、流入孔開口状態を示す縦断面図である。
【符号の説明】
１  容器体周壁
２  口頸部
３  主筒筒壁
４  流入孔
５  外向きフランジ
６  支持筒
７  補助筒筒壁
１１  仕切壁
１２  流入室
１３  流出室
１４  溜室
１５  流出孔
１６  周壁
１９  頂壁
Ａ  容器体
Ｂ  主筒
Ｃ  補助筒
Ｄ  キャップ体
Ｅ  開閉蓋
【図１】
0003698865.tif 000002
【図２】
0003698865.tif 000003
【図３】
0003698865.tif 000004
【図４】
0003698865.tif 000005